(57)【要約】【課題】従来の電波修正時計は、異なる電波環境においても、同じアンテナ構成で受信を行っていたため、電波の強弱によって受信可否が左右されてしまい、受信ができない場合があった。【解決手段】本発明の電波修正時計は、複数のアンテナと、それらを接続する切替回路と、受信回路とを有する構成とし、切替回路は受信回路から得られる情報や、あるいは過去の受信に関する情報に基づいて制御される。このような構成とすることにより、従来では受信できなかった環境においても、適切なアンテナ接続に切り替えて受信を行うことができる。【選択図】図１
2007256159.tif 000002
【特許請求の範囲】
【請求項１】
複数のアンテナを備える電波修正時計であって、
受信手段と、前記複数のアンテナと、前記複数のアンテナを接続または切断する切替手段と、記憶手段と、制御手段とを備え、
前記制御手段は、前記受信手段により得られる電波の受信状態から前記アンテナに発生する起電力を得るとともに、前記記憶手段に該起電力の値または所定の情報を記憶し、該起電力の値に基づいて前記切替手段を制御して前記複数のアンテナを接続または切断することを特徴とする電波修正時計。
【請求項２】
前記所定の情報は、受信に成功したか否かの情報と、前記起電力の下限値と上限値と、前記起電力を測定したときのアンテナ条件とを有しており、
前記アンテナ条件は、アンテナ単体のとき，直列接続のとき，並列接続のときの総インダクタンス値またはそのときのアンテナの数の情報を含んでおり、
前記制御手段は、前記起電力の値と前記所定の情報とを比較し、前記起電力の値が前記下限値を下回ると受信状態が弱いと判断し、上回ると受信状態が強いと判断し、
受信状態が弱いと判断すると、前記アンテナ条件を参照し総インダクタンス値に比べより大きくするか直列接続するアンテナの数が多くなるように前記切替手段に対して前記複数のアンテナを接続または切断するように制御し、
受信状態が強いと判断すると、前記アンテナ情報を参照し総インダクタンス値に比べより小さくするか直列接続するアンテナの数が少なくなるように前記切替手段に対して前記複数のアンテナを接続または切断するように制御することを特徴とする請求項１に記載の電波修正時計。
【請求項３】
入力手段を有し、
前記下限値または前記上限値は、前記起電力から得られた値または前記入力手段を用いて入力された値であることを特徴とする請求項２に記載の電波修正時計。
【請求項４】
前記切替手段は、前記複数のアンテナを直列または並列に接続するか、互いに切り離すことを特徴とする請求項１から３のいずれか１つに記載の電波修正時計。
【請求項５】
前記複数のアンテナは、それぞれのアンテナ軸方向に延長する仮想平面の主平面同士が、互いにほぼ直交するように配置していることを特徴とする請求項１から４のいずれか１つに記載の電波修正時計。
【請求項６】
前記複数のアンテナのうち少なくとも1つは、運針駆動用のモータのコイルであり、該コイルは、磁性体のコアに導線を巻回した形状とすることを特徴とする請求項１から５のいずれか１つに記載の電波修正時計。
【発明の詳細な説明】
【技術分野】
【０００１】
本発明は、標準電波を受信し、時刻の修正を行う電波修正時計に関し、詳しくは、複数のアンテナを搭載する電波修正時計に関する。
【背景技術】
【０００２】
一般に、標準電波を受信して時刻情報を取得し、時刻や日付を修正するように構成された電波修正時計が知られている。この電波修正時計は、時計の内部に電波を受信するためのアンテナが内蔵され、このアンテナで受信された信号を受信回路によって増幅および復調することによって時刻情報を取得する。
【０００３】
その際に用いられるアンテナとしては、アンテナコア（磁芯）に導線を巻回してコイルとした、いわゆるバーアンテナを用いるのが一般的である。このバーアンテナにおいては、コイルの軸線方向、すなわち磁芯の軸方向に通過する磁束の時間的変化によって電磁誘導によりアンテナに起電力が発生する。
しかしこのような構造のアンテナには強い指向性があり、アンテナコアと磁力線の方向が一致していれば受信感度は良好となるが、それ以外の方向では受信感度は大幅に低下することになる。すなわち電波修正時計の受信感度が時計の姿勢に強く依存することになる。
【０００４】
そこで、このようなアンテナが内蔵された電波修正時計にあっては、如何に受信感度を上げるかが技術課題となっており、多くの提案を見るものであるが、特に、複数のアンテナを用いて電波修正時計に到来する電波をより多く補足する技術が提案されている（例えば、特許文献１参照。）。
【０００５】
特許文献１に示した従来技術は、４つのアンテナを設ける技術である。これら４つのアンテナの軸線が略垂直となるように配置して、それら４つのアンテナのコイルを接続して受信することで受信可能な方向を拡大することができる。
なお、標準電波の受信に用いるアンテナの２つは運針駆動用のモータコイルを用いている。
【０００６】
図７は、特許文献１に示した従来技術を説明しやすいようにその主旨を逸脱しないように書き直した平面図である。図６は電波修正時計の文字板方向から見た図であって、２１は文字板の中心の運針軸中心、２１ａ，２１ｂは運針駆動用モータコイル、２１ｃ，２１ｄはアンテナのコイル、２２は外装ケースである。
【０００７】
図７に示すように、アンテナ２１a，２１bの軸線を外装ケース２２の筒軸方向に略平行な方向に配置し、また運針駆動用モータコイル２１ｃ，２１ｄが標準電波を受信するアンテナと兼用して、外装ケース１２の筒軸方向と略直交する方向に、かつモータ用コイル２１ｃ，２１ｄそれぞれの軸線がなす角度αが９０°程度となるように配置されている。
このようにすることによって、標準電波がどの方向から到来する場合でも、これらのアンテナのいずれか１つまたは複数で良好に標準電波を受信できる。
【０００８】
【特許文献１】特開２００５−８４０３７号公報（第４頁、第１図）
【発明の開示】
【発明が解決しようとする課題】
【０００９】
しかし、一般に電波修正時計が受信を行う電波環境はさまざまであって、電波の到来方
向以外に電界強度もさまざまである。一方、電波修正時計はアンテナによって受信された信号を電気回路によって増幅するが、増幅回路が正常に動作するためには、アンテナから入力される起電力は、増幅回路の線形性が保たれる範囲に収まっている事が必要となる。
【００１０】
起電力は電界強度に比例するため、すなわち、電波修正時計は電界強度が強すぎても逆に弱すぎても確実な受信を行う事ができない。その点において特許文献１に示した従来技術は、いかなる環境においても同じアンテナ接続で受信を行うため、電波環境によっては起電力が大きすぎて受信できない、あるいは起電力が小さすぎて受信できないといった問題がある。
【００１１】
また、特許文献１に示した従来技術は、アンテナ１つを運針駆動用モータコイルを用いているために、電波の受信時には、運針を停止しなければならない。
運針の停止は、電波の受信時に起きることが予め判っていても、その運針の停止の瞬間に時計を閲覧した場合は、時計自体の故障による運針停止と見分けがつかない。このような誤認識は、電波の受信をするたびに起こりえるから、常に時刻を報知し続ける時計にとって、大きな問題である。
【００１２】
本発明は、上記問題点を解決するものであり、その課題は電波の方向や電界強度に依存しない安定した受信が可能な電波修正時計を提供することである。
【課題を解決するための手段】
【００１３】
上記の課題を解決するため、本発明の電波修正時計は、以下のような構成を採用する。
【００１４】
複数のアンテナを備える電波修正時計であって、
受信手段と、複数のアンテナと、複数のアンテナを接続または切断する切替手段と、記憶手段と、制御手段とを備え、
制御手段は、受信手段により得られる電波の受信状態からアンテナに発生する起電力を得るとともに、記憶手段に起電力の値または所定の情報を記憶し、起電力の値に基づいて切替手段を制御して複数のアンテナを接続または切断することを特徴とする。
【００１５】
所定の情報は、受信に成功したか否かの情報と、起電力の下限値と上限値と、起電力を測定したときのアンテナ条件とを有しており、
アンテナ条件は、アンテナ単体のとき，直列接続のとき，並列接続のときの総インダクタンス値またはそのときのアンテナの数の情報を含んでおり、
制御手段は、起電力の値と所定の情報とを比較し、起電力の値が下限値を下回ると受信状態が弱いと判断し、上回ると受信状態が強いと判断し、
受信状態が弱いと判断すると、アンテナ条件を参照し総インダクタンス値に比べより大きくするか直列接続するアンテナの数が多くなるように切替手段に対して複数のアンテナを接続または切断するように制御し、
受信状態が強いと判断すると、アンテナ情報を参照し総インダクタンス値に比べより小さくするか直列接続するアンテナの数が少なくなるように切替手段に対して複数のアンテナを接続または切断するように制御することを特徴とする。
【００１６】
入力手段を有し、下限値または上限値は、起電力から得られた値または入力手段を用いて入力された値であることを特徴とする。
【００１７】
切替手段は、複数のアンテナを直列または並列に接続するか、互いに切り離すことを特徴とする。
【００１８】
複数のアンテナは、それぞれのアンテナ軸方向に延長する仮想平面の主平面同士が、互
いにほぼ直交するように配置していることを特徴とする。
【００１９】
複数のアンテナのうち少なくとも1つは、運針駆動用のモータのコイルであり、コイルは、磁性体のコアに導線を巻回した形状とすることを特徴とする。
【発明の効果】
【００２０】
本発明の電波修正時計は、受信時にアンテナから得られる起電力の情報を得て、その情報に基づいてコイルの接続状態を切り替えることができる。
このような構成とすることにより、より幅広い電波環境において電波の受信が可能となる。すなわち、電界強度が弱く、従来では受信不可能だった環境においても受信が可能となる。また、感度が時計の姿勢に依存しなくなるため、時計の置かれた向きに関係なく、良好な受信を行う事ができる。
さらに、運針駆動用モータコイルをアンテナに用いることができるが、電波の受信に常時それを用いることがないので、電波の受信時に運針が停止してしまう時間は極めて短くすることができるので、時刻の誤認識がない。
【発明を実施するための最良の形態】
【００２１】
以下、本発明の電波修正時計を図面に基づいて説明する。なお、以下の説明にあたって、同一構成要件については、同一符号を付し、その説明を省略もしくは簡略化する。
また、本発明の実施形態では、受信に用いるコイルを単にアンテナと表現し、このアンテナは、２つ用いる例を用いて説明する。
【実施例１】
【００２２】
［全体説明：図１，図２，図３］
本発明の電波修正時計に係る第１の実施形態について、図１，図２，図３を参照して説明する。図１は、本発明の電波修正時計の構成を示すブロック図である。図２は、アンテナを切り替える切替手段を説明する回路図である。図３は、アンテナの配置を示す平面図である。
【００２３】
図１において、１は第１のアンテナ、２は第２のアンテナ、３は切替回路、４は標準電波を受信する受信回路、５は時刻を計時する時計部、６は制御回路、７は記憶部、８はスイッチ、９は受信開始の信号を出力する受信開始部、１０は入力手段である。
図２において、３１はスイッチ回路、３２は同調手段である。３１ａ〜３１eはスイッチ回路３１を構成する切替スイッチである。
また、第２のアンテナ２は第１のアンテナ１に比してインダクタンスが大きい。切替回路３はこれら２つアンテナを切り替える回路である。制御回路６は、記憶部７に記憶された所定の情報を基に切替回路３を制御する。スイッチ８は、受信開始部９に強制受信開始の信号を入力する手段である。
【００２４】
第１のアンテナ１および第２のアンテナ２は、アンテナコアに導線を巻回してコイルとした、いわゆるバーアンテナとなっており、アンテナコアに標準電波が鎖交するとコイルに誘起電圧が発生する。標準電波の受信とは、この誘起電圧から時刻情報を抽出することである。
【００２５】
切替回路３は、第１のアンテナ１と第２のアンテナ２とを切替および同調を行う回路である。詳しくは、第１のアンテナ１と第２のアンテナ２とをそれぞれ単独にするか、直列に接続するか並列に接続するかを切り替える。
同調回路３２は、選択したアンテナの切替状態に合わせて同調容量を変化させるための回路である。この切替回路３の動作については後述する。
【００２６】
受信回路４は、切替回路３から入力される信号から時刻を表すタイムコードを抽出して、記憶部７および時計部５に出力する回路である。また後述するプレ受信も受信回路４によって行う。
【００２７】
時計部５は、ロータおよびステータからなる駆動部と、その駆動部を制御する計時回路と、時刻またはその他の情報を表示する表示部とを有している。この時計部５は、通常は、単独で動作して時刻を表示するものであって、知られている構成を用いることができる一般的なものである。
【００２８】
時計部５は、標準電波を受信する時刻を記憶しており、現在の時刻が標準電波を受信する時刻となったときに、受信開始命令を受信開始部９に出力する。
また、受信回路４から時刻情報を受け取った場合には、時計部５の図示しない表示部がその時刻を示すように駆動部が計時回路によって制御される。
【００２９】
表示部は、液晶表示装置などを用いることができる。その際は、駆動部は、信号線ドライバと走査線ドライバとを有する液晶駆動回路を有することになる。
一方、表示部を運針による表示手段、いわゆるアナログ指針式の文字板を用いることもできる。その際は、駆動部は、運針を駆動するための運針駆動用モータと歯車などの機械駆動手段を有することになる。
【００３０】
なお、駆動部が運針駆動用モータを有するとき、この運針駆動用モータのロータは、ヨークとコイルとによってなるが、このコイルは、第１のアンテナ１または第２のアンテナ２のいずれかと兼ねてもよい。
つまり、アンテナを第１のアンテナ１と第２のアンテナ２との２つ用意しなくても、片方アンテナを運針駆動用モータで代用することもできるのである。
【００３１】
制御回路６は記憶部７から入力される所定の情報と制御回路６内部にある情報とを基に、アンテナの接続状態を判断し、切替回路３へアンテナの接続状態を表す信号を出力する回路である。
記憶部７には予め表１に示すようなアンテナ接続の組み合わせの情報が記憶されている。
【００３２】
【表１】
2007256159.tif 000003
【００３３】
表１に示すように、記憶部７にはアンテナ接続の組み合わせの情報であるアンテナ条件１〜４が記憶されている。
アンテナ条件１は、第１のアンテナ１と第２のアンテナ２とを並列接続して用いる条件である。アンテナ条件２は、第１のアンテナ１を用いる条件である。同様に、アンテナ条件３は、第２のアンテナ２を用いる条件である。そして、アンテナ条件４は、第１のアンテナ１と第２のアンテナ２とを直列接続して用いる条件である。
例えば、アンテナ条件２は、切替スイッチ３１ａ，３１ｂをｏｎ、切替スイッチ３１ｃ
〜３１eをｏｆｆにする。
【００３４】
表１に示すように、第１のアンテナ１のインダクタンスは「Ｌｏｗ」であり値が小さいことを示している。第２のアンテナ２のインダクタンスは「Ｍｉｄ」であり値が第１のアンテナ１より大きいことを示している。第１のアンテナ１と第２のアンテナ２とを直列接続すると、インダクタンスは「Ｈｉｇｈ」であり、非常に大きいことを示している。第１のアンテナ１と第２のアンテナ２とを並列接続すると、インダクタンスは「ＶｅｒｙＬｏｗ」であり、非常に小さいことを示している。
【００３５】
記憶部７は、所定の情報を記憶し、その所定の情報を必要に応じて制御部６へと出力する回路である。
所定の情報とは、前回受信に成功したときの第１のアンテナ１と第２のアンテナ２との接続または切断状態を示すアンテナ条件と、アンテナに発生する起電力の上限値および下限値である。受信に成功したか否かという情報も、もちろん含まれている。
ここでいうアンテナとは、前回受信に成功したときの第１のアンテナ１と第２のアンテナ２とが接続または切断された状態を総じてアンテナと称している。つまり、これら２つのアンテナが直列接続しているか並列接続しているか、あるいは互いが切断されているかは問わず、その状態においてアンテナに発生する起電力の上限値および下限値を取り込むのである。
【００３６】
受信開始部９は、時計部５から所定の時刻に受信開始命令が出されたとき、もしくはスイッチ８により受信開始命令が出されたときに受信開始信号を出力し、受信回路４および制御回路６を受信状態にする。
【００３７】
スイッチ手段１０は、情報を入力する入力手段である。アンテナに発生する起電力の上限値および下限値を入力することができる。スイッチ手段１０から入力されたこれらの値は、記憶部７に格納される。制御部６は、これらの情報を読み出して制御を行う。
スイッチ手段１０は、知られているボタンやスイッチを用いることができ、１つまたは複数設けることができる。知られている携帯情報機器や携帯電話機のように、１つのボタンやスイッチに複数の情報を割り当てておき、押圧回数で入力すべき情報が変化するようにしてもよい。
【００３８】
［切替回路３の説明：図２］
次に、切替回路３の詳細を図２を用いて説明する。
アンテナの磁束鎖交数が一定の場合、アンテナの総インダクタンス値に比例して発生する起電力は大きくなるため、電波の方向にもよるが、一般的にインダクタンスが大きくなるほどコイルに発生する起電力は大きくなる。そのため表１に示す組み合わせにおいて、接続状態をアンテナ条件１からアンテナ条件４の順番に切り替えていくと、発生する起電力は大きくなっていく。
またその際には同調容量を変化させる必要があるため、同調回路３２を制御して同調容量を切り替えることになる。
【００３９】
なお、工場出荷時には、記憶部７には表１に示すのアンテナ条件２の状態と、アンテナに発生する起電力の値として適当な値が上限値および下限値として記憶されている。
【００４０】
ところで、標準電波を受信していないときの切替回路３については、切替スイッチ３１ａ〜３１eは、前回受信時のままの状態を保持していてもかまわないし、全てｏｆｆの状態としてもよい。
【００４１】
［配置の説明：図３］
次に、第１のアンテナ１および第２のアンテナ２の配置について説明する。図３は本発明における電波修正時計を文字板方向から見た様子を模式的に示す図であって、１１は文字板の中心の運針軸中心、１２は外装ケースである。
第１のアンテナ１および第２のアンテナ２は、図３に示すように、外装ケース１２の筒軸方向と略直交する方向に、かつ第１のアンテナ１および第２のアンテナ２のそれぞれの軸線がなす角度αが９０°程度となるように配置されている。
【００４２】
本発明の実施形態においては、アンテナ２つを使用する例を示したが、アンテナを３つ以上使用する場合には、もう１つのアンテナはアンテナの軸線が外装ケース１２の筒軸方向と略並行になるように配置する。
【００４３】
これらアンテナの配置は、上述の角度αが９０°程度となれば、本発明の電波修正時計用アンテナを搭載する電波修正時計の形状やデザインに応じて自由に設定することができる。
第１のアンテナ１と第２のアンテナ２とは、そのような外装ケース１２やそれに搭載する基板などの影響で、互いに同じ平面、例えば、同じ回路基板上に配置しても、互いに異なる平面上に配置してもよい。
【００４４】
図３には図示しないが、第１のアンテナ１と第２のアンテナ２とを互いに異なる平面上に配置するときは、それぞれのアンテナ軸方向に延長する仮想平面の主平面同士が互いにほぼ直交するように配置するとよい。
このようにすると、例えば、第１のアンテナ１と第２のアンテナ２とを基板に搭載するとき、これらアンテナが互いに異なる高さの位置に設置されていても、平面から見ればこれら２つのアンテナは図３に示すようにその軸線がなす角度αは９０°程度となる。
【００４５】
このように、それぞれのアンテナ軸方向に延長する仮想平面の主平面同士が互いにほぼ直交するように配置することで、標準電波がどの方向から侵入する場合でも、これらのアンテナで良好に標準電波を受信できる。
【００４６】
本発明の電波修正時計用アンテナを腕時計型の電波修正時計に搭載する場合を想定すると、腕時計は人体に装着することで人体の動きにしたがってさまざまな方向に向く。そのような場合であっても、標準電波の到来方向に関わらず、標準電波を良好に受信することができるのである。
【００４７】
［動作の説明：図４］
次に、本発明の電波修正時計の動作を説明する。図４は動作を説明するフローチャートである。この図を用いて、受信動作に入るまでの流れを説明する。図４において、Ｓ４００〜Ｓ４０９は処理ステップである。
本発明の電波修正時計は、受信を行う前に電波環境を調べる目的で数秒程度の受信（以降この受信をプレ受信と呼ぶことにする）を行う。
【００４８】
まず、受信開始部９は、所定のタイミングになったら受信開始信号を受信回路４および制御部６へと出力する。（Ｓ４００）
制御回路６は、記憶部７に記憶されているアンテナの接続状態、すなわち、前回受信に成功したときの接続状態になるように切替回路３を制御する。（Ｓ４０１）
【００４９】
その状態でプレ受信を行い、アンテナに発生する起電力を得る。以降、アンテナから得られた起電力をＥ０とする。（Ｓ４０２）
そして、その起電力Ｅ０と記憶部７に記憶されている起電力の下限値とを比較する。（Ｓ４０３）
もし、発生した起電力Ｅ０が下限値よりも低ければ（Ｓ４０４）、制御回路６は接続されているアンテナの総インダクタンス値が大きくなるように切替回路３を制御する。（Ｓ４０８）
そして、再度プレ受信を行う。もしインダクタンスが最大の状態、例えば、表１に示すアンテナ条件４の状態でプレ受信を行ってもまだ得られた起電力Ｅ０が下限値より低い場合、受信回路４は受信不可能と判断して制御回路６へ受信停止信号を出力し、受信回路４自体の動作も停止する。
【００５０】
次に、発生した起電力Ｅ０と記憶部７に記憶されている起電力の上限値とを比較する。（Ｓ４０５）
もし、発生した起電力Ｅ０が上限値よりも大きければ（Ｓ４０６）、制御回路６は接続されているアンテナの総インダクタンス値が小さくなるように切替回路３を制御する。（Ｓ４０９）
そして、再度プレ受信を行い、上述の処理ステップを経て受信を開始する。（Ｓ４０７）
【００５１】
もし、インダクタンスが最小の状態、例えば、表１に示すアンテナ条件１の状態でプレ受信を行ってもまだ得られた起電力Ｅ０が上限値より高い場合、受信回路４は受信不可能と判断して制御回路６へ受信停止信号を出力し、受信回路４自体の動作も停止する。
【００５２】
以上のように、切替回路３は受信によって得られる起電力Ｅ０が適切な範囲に収まるように第１のアンテナ１と第２のアンテナ２との接続状態を切り替えることになる。そして比較と切替とを繰り返して、プレ受信によって得られた起電力Ｅ０が適切な値、すなわち記憶部７に記憶されている起電力の上限値と下限値との間にあることが確認されたときに初めて、受信回路４は受信動作に入る。
【００５３】
受信に成功した場合には、その際のアンテナの接続状態、すなわち、そのときに用いたアンテナ条件（１〜４のいずれか）をコイル情報として記憶部７に記憶しておき、その情報を次回受信時に利用する。
【００５４】
以上の説明により明らかなように、本発明の電波修正時計は、電波の方向や電界強度に依存しない安定した標準電波の受信が可能となる。
【実施例２】
【００５５】
次に、本発明の電波修正時計に係る第２の実施形態について、図１，図２，図３，図５を参照して説明する。図５において、Ｓ５００〜Ｓ５０８は処理ステップである。
本発明の第２の実施形態については、記憶部７が記憶する情報と、受信までの流れとが第１の実施形態と異なるものであるため、その部分のみを説明する。
【００５６】
記憶部７は、前回受信時の受信結果の可否と、その際のアンテナ条件と、その際にアンテナから得られた起電力Ｅ０の値と、起電力の目標値とを記憶しており、受信時にはこれらの情報を制御回路６に出力する。
【００５７】
まず、受信開始部９は、所定のタイミングになったら受信開始信号を受信回路４および制御部６へと出力する。（Ｓ５００）
制御回路６は、記憶部７に記憶されている情報を参照する。（Ｓ５０１）
前回受信に成功している場合には（Ｓ５０２）、前回のアンテナ条件を参照して、同じ接続となるように制御回路６を制御する。（Ｓ５０７）
前回受信に失敗している場合には、前回受信時にアンテナから得られた起電力Ｅ０と、予め記憶部７に記憶されている起電力の目標値とを比較する。（Ｓ５０３）
【００５８】
そして、起電力Ｅ０が目標値よりも小さければ（Ｓ５０４）、アンテナの総インダクタンス値が大きくなるようにアンテナの接続を切り替える。（Ｓ５０５）
逆に、起電力Ｅ０が目標値よりも大きければ、アンテナの総インダクタンス値が小さくなるようにアンテナの接続を切り替える。（Ｓ５０８）そして、受信を開始する。（Ｓ５０６）
【００５９】
すなわち、受信に失敗した場合に限り、次回受信時にはアンテナの接続状態を変更して受信動作に入る。そして、その変更後の接続状態は、前回受信時にアンテナから得られた起電力Ｅ０と記憶部７に記憶されている起電力の目標値とによって選択される。
【００６０】
以上の説明から明らかなように、本発明の第２の実施形態では、プレ受信を毎回行わなくても、安定した標準電波の受信が可能となる。
【実施例３】
【００６１】
次に、本発明の電波修正時計に係る第３の実施形態について、図１，図２，図３，図６を参照して説明する。図６において、Ｓ６００〜Ｓ６１３は処理ステップである。
本発明の第３の実施形態については、制御回路６が有する情報と、記憶部７が記憶する情報と、受信までの流れとが第１の実施形態と異なるものであるため、その部分のみを説明する。
【００６２】
記憶部７は、アンテナによって得られる起電力の目標値と、後述の最も目標値に近い起電力Ｅと、その際のアンテナ条件とを記憶しており、受信時にはその情報を制御回路６へ出力する。
【００６３】
まず、受信開始部９は、所定のタイミングになったら受信開始信号を受信回路４および制御部６へと出力する。（Ｓ６００）
制御回路６は、表１に示すアンテナ条件１の接続に切り替える。アンテナ条件１とは、第１のアンテナ１と第２のアンテナ２とを並列に接続する条件である。その状態でプレ受信を行い（Ｓ６０１）、そのときのアンテナ条件とアンテナから得られた起電力の値を記憶部７に記憶する。（Ｓ６０２）
以降、プレ受信をして記憶部７へ記憶される起電力をＶＭとおく。
【００６４】
そして次に、制御回路６は、表１に示すアンテナ条件２の接続に切り替える。アンテナ条件３とは、第１のアンテナ１だけを用いる条件である。その状態でプレ受信を行い（Ｓ６０３）、そのときのアンテナから得られた起電力Ｅ０の値と、記憶部７に記憶されている起電力ＶＭの値とで、これらのうちどちらが記憶部７に記憶されている起電力の目標値に近いかを比較する。（Ｓ６０４）
【００６５】
もし、アンテナから得られた起電力Ｅ０の方が目標値に近ければ記憶部７はその時のアンテナ条件とアンテナから得られた起電力Ｅ０の値とを記憶する。（Ｓ６１１）
また、もし、記憶部７に記憶されている起電力ＶＭの値の方が目標値に近ければ記憶部７の情報はそのままの状態を保つ。
【００６６】
以上の処理ステップを表１に示すアンテナ条件３，４についても行う。（Ｓ６０５〜Ｓ６０８，Ｓ６１２，Ｓ６１３）
すなわち、記憶部７には、その環境においてアンテナから得られる起電力Ｅ０が、記憶部７に記憶されている起電力の目標値に最も近くなるようなアンテナの接続状態およびその場合にアンテナから得られる起電力Ｅ０が記憶されることになる。
【００６７】
そして、表１に示すアンテナ条件１〜４の接続状態で一通りプレ受信を行った後、制御回路６は記憶部７に記憶されたアンテナ条件、すなわち、アンテナから得られる起電力Ｅ０が目標値に最も近くなるようなアンテナ条件となるように切替回路３を制御する。そして、その後に受信動作に入る。（Ｓ６１０）
【００６８】
以上の説明から明らかなように、本発明の第３の実施形態では、予め記憶しているアンテナ条件でプレ受信を行い、最適なアンテナの接続を見出し、受信を行うことが可能になる。
【００６９】
以上説明した本発明の実施形態では、アンテナ２つを用いる例を示しているが、すでに説明したとおり、第１のアンテナ１または第２のアンテナ２とのうちどちらかを運針駆動用モータのコイルで代用してもよい。その場合は、構成部品を増やすことなく受信可能な電波環境の幅を広げることができる。
【産業上の利用可能性】
【００７０】
到来する電波の状況に応じて電波修正時計に搭載する複数のアンテナを切り換えて、適するアンテナの状態で電波を受信することができる。このため、小型軽量の腕時計型の電波修正時計に好適である。
【図面の簡単な説明】
【００７１】
【図１】本発明の電波修正時計に係る第１の実施形態を説明するブロック図である。
【図２】本発明の電波修正時計に係る第１の実施形態を説明する回路図である。
【図３】本発明の電波修正時計に係る第１の実施形態を説明する配置図である。
【図４】本発明の電波修正時計に係る第１の実施形態の動作を説明するフローチャートである。
【図５】本発明の電波修正時計に係る第２の実施形態の動作を説明するフローチャートである。
【図６】本発明の電波修正時計に係る第３の実施形態の動作を説明するフローチャートである。
【図７】特許文献１に示した従来技術を説明する平面図である。
【符号の説明】
【００７２】
１ 第１のアンテナ
２ 第２のアンテナ
３ 切替回路
４ 受信回路
５ 時計部
６ 制御回路
７ 記憶部
８ スイッチ
９ 受信開始部
１０  スイッチ手段
３１ スイッチ回路
３２ 同調回路
１１ 運針軸中心
１２ 外装ケース
【図１】
2007256159.tif 000004
【図２】
2007256159.tif 000005
【図３】
2007256159.tif 000006
【図４】
2007256159.tif 000007
【図５】
2007256159.tif 000008
【図６】
2007256159.tif 000009
【図７】
2007256159.tif 000010